(57)【要約】【課題】偽変造への耐性が高い情報記録媒体を提供する。【解決手段】一つの実施の形態に係る情報記録媒体は、基材と、第１の情報と、第２の情報とを備える。前記第１の情報は、前記基材に設けられ、識別性を有する。前記第２の情報は、前記基材に設けられ、前記第１の情報から得られる情報である。前記情報記録媒体は、所定の方法で前記第１の情報から得た情報と、前記第２の情報と、を比較することで真偽の判定が可能である。【選択図】図１
2015047759.tif 000002
【特許請求の範囲】
【請求項１】
基材と、
前記基材に設けられ、識別性を有する第１の情報と、
前記基材に設けられ、前記第１の情報から得られる情報である第２の情報と、
を具備するとともに、所定の方法で前記第１の情報から得た情報と、前記第２の情報と、を比較することで真偽の判定が可能な情報記録媒体。
【請求項２】
前記第２の情報が前記第１の情報よりも視認され難い、請求項１の情報記録媒体。
【請求項３】
前記基材に設けられる第３の情報をさらに具備し、
前記第２の情報が前記第３の情報に組み込まれる、請求項１又は請求項２の情報記録媒体。
【請求項４】
前記第１の情報は、第１の形式の情報であり、
前記第２の情報は、前記第１の形式と異なる第２の形式の情報である、請求項３の情報記録媒体。
【請求項５】
前記第２の情報は、前記第１の情報から得られた情報が暗号化された情報である、請求項３の情報記録媒体。
【請求項６】
前記第１の情報を電気的に記憶する記憶部、をさらに具備する請求項５の情報記録媒体。
【請求項７】
情報記録媒体に設けられた第１の情報を読み取り、
前記情報記録媒体に設けられた第２の情報を読み取り、
前記第１の情報から比較用情報を作成し、
前記比較用情報と、前記第２の情報と、の比較結果に基づいて、前記情報記録媒体の真偽を判定する、
情報記録媒体の真偽判定方法。
【発明の詳細な説明】
【技術分野】
【０００１】
本発明の実施形態は、情報記録媒体、及び情報記録媒体の真偽判定方法に関する。
【背景技術】
【０００２】
ＩＤカードのような種々の情報記録媒体は、例えば、偽造品を製造されたり、写真や氏名のような種々の情報を書き換える変造がされたりするおそれがある。このような偽変造を防止するため、情報記録媒体に、セキュリティ情報を印刷したり、セキュリティ情報を記録したＩＣインレットを設けたりすることがある。
【先行技術文献】
【特許文献】
【０００３】
【特許文献１】特開２０１３−１０３３４２号公報
【発明の概要】
【発明が解決しようとする課題】
【０００４】
情報記録媒体にセキュリティ情報が設けられたとしても、当該セキュリティ情報が解析されるおそれがある。
【０００５】
本発明の解決する課題の一つは、偽変造への耐性がより高い情報記録媒体、及び情報記録媒体の真偽判定方法を提供することである。
【課題を解決するための手段】
【０００６】
一つの実施の形態に係る情報記録媒体は、基材と、第１の情報と、第２の情報とを備える。前記第１の情報は、前記基材に設けられ、識別性を有する。前記第２の情報は、前記基材に設けられ、前記第１の情報から得られる情報である。前記情報記録媒体は、所定の方法で前記第１の情報から得た情報と、前記第２の情報と、を比較することで真偽の判定が可能である。
【図面の簡単な説明】
【０００７】
【図１】図１は、第１の実施の形態に係るＩＤカードを示す平面図である。
【図２】図２は、第１の実施形態の文字情報の一部を示す平面図である。
【図３】図３は、第１の実施形態の印刷装置の構成を示すブロック図である。
【図４】図４は、第１の実施形態のＩＤカードの製造方法を示すフローチャートである。
【図５】図５は、第１の実施形態の判定装置の構成を示すブロック図である。
【図６】図６は、第１の実施形態のＩＤカードの真偽判定方法を示すフローチャートである。
【図７】図７は、第１の実施形態の偽変造ＩＤカードを示す平面図である。
【図８】図８は、第２の実施の形態に係るＩＤカードを示す平面図である。
【図９】図９は、第２の実施形態のＩＤカードの真偽判定方法を示すフローチャートである。
【発明を実施するための形態】
【０００８】
以下に、第１の実施の形態について、図１乃至図７を参照して説明する。なお、実施形態に係る構成要素や、当該要素の説明について、複数の表現を併記することがある。当該構成要素及び説明について、記載されていない他の表現がされることは妨げられない。さらに、複数の表現が記載されない構成要素及び説明について、他の表現がされることは妨げられない。
【０００９】
図１は、第１の実施の形態に係るＩＤカード１０を示す平面図である。ＩＤカード１０は、情報記録媒体の一例であり、例えば、カード、偽変造防止媒体、印刷媒体、印刷物又は情報表示物のようにも称され得る。なお、情報記録媒体はＩＤカード１０に限らず、パスポート、運転免許証、入館証、紙幣、有価証券、タグ、コンパクトディスク（ＣＤ）又はデジタルヴァーサタイルディスク（ＤＶＤ）のような種々の媒体であっても良い。
【００１０】
図１に示すように、ＩＤカード１０は、カード状の基材１１を有している。基材１１は、例えば合成樹脂又は紙によって形成され、平坦な印刷面１２を有する。印刷面１２に、顔写真１３と、文字情報１４とが印刷される。顔写真１３は、第１の情報の一例であり、情報、像、画像、顔画像、図、絵柄、又は表示要素のようにも称され得る。文字情報１４は、第３の情報の一例であり、情報、像、文字、文字列、文章、言語情報又は表示要素のようにも称され得る。また、文字情報１４も、文字を示す画像の一例である。文字情報１４は、印刷面１２以外の面に印刷されても良い。なお、本明細書において「文字」は、数字及び記号を含む。
【００１１】
第１及び第３の情報は、顔写真１３及び文字情報１４に限らず、種々の情報であっても良い。例えば、第１の情報が文字であっても良いし、第３の情報が画像であっても良い。また、第１及び第３の情報は、印刷以外の方法で基材１１に設けられても良い。
【００１２】
ＩＤカード１０は、さらに、印刷面１２を保護するオーバーコート層を有する。また、ＩＤカード１０の任意の部分に、蛍光インクやホログラムラベルのようなセキュリティ情報が設けられても良い。
【００１３】
顔写真１３は、例えば、ＩＤカード１０の所有者の顔を表示する画像形式の情報である。画像形式は、第１の形式の一例である。顔写真１３は、ＩＤカード１０毎に異なる、固有性を有する情報である。言い換えると、顔写真１３は、対象となる人物を識別するための情報（識別情報）であり、ＩＤカード１０の所有者を識別したり、本人確認をしたりするために用いられる、識別性を有する情報である。顔写真１３は、おおよそ、人物部分と、背景部分とに分けられる。なお、顔写真１３はこれに限られない。
【００１４】
文字情報１４は、例えば、ＩＤカード１０の所有者の氏名、振り仮名、アルファベット表記、生年月日、住所及び電話番号のような個人情報と、ＩＤカード１０の発行年月日、有効期限及び発行番号（通し番号）のようなカード情報と、前記個人情報及びカード情報の各項目名と、を示す。
【００１５】
前記個人情報及びカード情報は、ＩＤカード１０毎に異なる、固有性を有する情報である。言い換えると、前記個人情報及びカード情報は、対象となる人物を識別するための情報（識別情報）であり、ＩＤカード１０の所有者又はＩＤカード１０を識別したり、本人確認をしたりするために用いられる、識別性を有する情報である。一方、前記項目名は、ＩＤカード１０毎に共通する情報である。
【００１６】
図２は、文字情報１４の一部である、項目名「生年月日」の「生」の字を示す平面図である。図２に示すように、文字情報１４に含まれる「生」の字に、微小抜き文字１６が組み込まれる（含まれる、入れられる）。言い換えると、微小抜き文字１６は、印刷面１２にある文字情報１４に印刷される。微小抜き文字１６は、第２の情報の一例であり、情報、秘匿情報、隠し文字、マイクロ文字、潜在文字、微小文字、文字、文字列、文章又は言語データのようにも称され得る。なお、第２の情報は、微小抜き文字１６に限らず、例えばバーコードのような他の情報でも良い。また、微小抜き文字１６は、文字情報１４の一つの文字に限らず、複数個所に分散して設けられても良い。
【００１７】
微小抜き文字１６は、例えば「ａｂｃ．．．」のようなそれ単独では意味を成さない文字列形式の情報である。文字列形式は、第２の形式の一例である。なお、微小抜き文字１６は、意味がある文字列であっても良い。
【００１８】
微小抜き文字１６は、例えば、０．２〜０．３ｍｍ程度の大きさの複数の文字によって形成される。すなわち、微小抜き文字１６を構成する各文字は、注視して初めて認識できるような大きさである。言い換えると、微小抜き文字１６は、写真１３及び文字情報１４よりも視認され難い情報である。
【００１９】
微小抜き文字１６は、白色の文字であり、黒色の文字である文字情報１４の中に印刷される。すなわち、微小抜き文字１６は、いわゆる白抜き文字である。なお、微小抜き文字１６はこれに限らない。
【００２０】
図３は、ＩＤカード１０を製造する印刷装置２０の構成を示すブロック図である。図４は、印刷装置２０によるＩＤカード１０の製造方法の一例を示すフローチャートである。以下、図３及び図４を参照して、印刷装置２０の構成及び動作と、ＩＤカード１０の製造方法の一例と、について説明する。なお、印刷装置２０の動作及びＩＤカード１０の製造方法は、以下に説明されるものに限らない。
【００２１】
図３に示すように、印刷装置２０は、入力部２１と、制御部２２と、出力部２３とを有する。制御部２２は、入力部２１及び出力部２３に接続される。
【００２２】
入力部２１は、例えば、デジタルカメラ又は光学スキャナのような光学センサを有する装置である。制御部２２は、例えば、ＣＰＵのような制御部と、メモリのような記憶部と、ＨＤＤ及びＯＤＤのような外部記憶装置とを有するコンピュータである。出力部２３は、例えばプリンタのような出力装置である。なお、入力部２１、制御部２２及び出力部２３は、これに限らない。
【００２３】
図４に示すように、入力部２１は、人物を撮影又は写真をスキャンすることによって、顔写真１３の印刷用データである顔画像データを作成する。当該顔画像データは、画像形式の情報である。前記顔画像データは、制御部２２に入力される（ステップＳ１０）。
【００２４】
制御部２２は、前記顔画像データから、特徴量を抽出する（ステップＳ１１）。当該特徴量は、前記画像データから得られる情報であり、例えば、顔の大きさ若しくは目鼻の位置のような顔の特徴、又はｓＲＧＢデータのような画像の任意座標の色指定データである。なお、前記特徴量はこれに限らない。
【００２５】
次に、制御部２２は、前記特徴量に基づくセキュリティ情報を作成する（ステップＳ１２）。言い換えると、前記特徴量が、前記セキュリティ情報に変換される。例えば、前記特徴量が、所定の暗号化処理が施された暗号情報に変換される。当該暗号情報（セキュリティ情報）は、例えば「ａｂｃ．．．」のような文字列形式の情報である。
【００２６】
前記特徴量から前記セキュリティ情報への暗号化処理、及び、前記セキュリティ情報から前記特徴量への復元処理には、鍵情報（キー）が用いられる。すなわち、制御部２２は、当該鍵情報を有する。なお、前記特徴量は、暗号化処理されることなく、単純に文字列に変換処理されても良い。
【００２７】
制御部２２は、前記セキュリティ情報を微小抜き文字１６として文字情報１４のデータに組み込む（ステップＳ１３）。すなわち、前記セキュリティ情報は、微小抜き文字１６のデータである。微小抜き文字１６は、文字情報１４を形成する一つの文字に組み込まれても良いし、複数の文字に分散して組み込まれても良い。
【００２８】
次に、制御部２２は、顔写真１３の前記顔画像データと、文字情報１４及び微小抜き文字１６のデータと、を含む印刷データを出力部２３に入力する。出力部２３は、当該印刷データに基づき、基材１１の印刷面１２に顔写真１３、文字情報１４、及び微小抜き文字１６を印刷する（ステップＳ１４）。
【００２９】
次に、印刷面１２に前記オーバーコート層が形成される。これにより、顔写真１３、文字情報１４及び微小抜き文字１６が前記オーバーコート層に覆われる。以上により、ＩＤカード１０が製造される。以上説明したような正規の方法によって印刷された顔写真１３は、真の第１の情報の一例である。
【００３０】
図５は、ＩＤカード１０の真偽を判定する判定装置３０の構成を示すブロック図である。図６は、ＩＤカード１０の真偽を判定する方法の一例を示すフローチャートである。図７は、偽変造ＩＤカード１００を示す平面図である。
【００３１】
以下、図５乃至図７を参照し、判定装置３０の構成及び動作と、ＩＤカード１０の真偽判定方法の一例と、について説明する。なお、判定装置３０の動作と、ＩＤカード１０の真偽判定方法とは、以下に説明されるものに限らない。
【００３２】
図５に示すように、判定装置３０は、入力部３１と、処理部３２と、表示部３３とを有する。処理部３２は、入力部３１及び表示部３３に接続される。
【００３３】
入力部３１は、例えば、デジタルカメラ又は光学スキャナのような光学センサを有する装置である。処理部３２は、例えば、ＣＰＵのような制御部と、メモリのような記憶部と、ＨＤＤ及びＯＤＤのような外部記憶装置とを有するパーソナルコンピュータである。表示部３３は、例えば、ディスプレイ又は液晶表示部のような情報を表示する装置である。なお、入力部３１、処理部３２及び表示部３３は、これに限らない。
【００３４】
図６に示すように、入力部３１は、ＩＤカード１０を撮影又はスキャンすることによって、ＩＤカード１０のスキャンデータを取得する（ステップＳ１００）。ＩＤカード１０の当該スキャンデータは、顔写真１３、文字情報１４及び微小抜き文字１６を含む画像形式の情報である。すなわち、入力部３１は、ＩＤカード１０から顔写真１３を読み取る。ＩＤカード１０の前記スキャンデータは、処理部３２に入力される。
【００３５】
処理部３２は、ＩＤカード１０の前記スキャンデータに含まれる顔写真１３から、前記特徴量を抽出する（ステップＳ１０１）。当該特徴量は、印刷装置２０の制御部２２が用いた前記特徴量と同じものである。すなわち、印刷装置２０の制御部２２が顔の特徴を前記特徴量として用いた場合、処理部３２は、読み取られた顔写真１３から、顔の特徴を特徴量として抽出する。
【００３６】
次に、処理部３２は、抽出した前記特徴量から、図１の下部に示す比較用情報Ｄ１（第１のセキュリティ情報）を作成する（ステップＳ１０２）。処理部３２は、印刷装置２０が前記顔画像データから前記セキュリティ情報を作成する処理と同じ処理を行う。例えば、顔写真１３から抽出された前記特徴量から、前記暗号化処理が施された比較用情報（暗号情報）Ｄ１が作成される。
【００３７】
比較用情報Ｄ１は、例えば「ａｂｃ．．．」のような文字列形式の情報である。前記特徴量から比較用情報Ｄ１を作成する処理に、前記鍵情報が用いられる。すなわち、判定装置３０の処理部３２は、印刷装置２０の制御部２２が有する前記鍵情報と同じ鍵情報を有する。
【００３８】
次に、処理部３２は、ＩＤカード１０の前記スキャンデータから、微小抜き文字１６（第２のセキュリティ情報）を抽出する（ステップＳ１０３）。例えば、処理部３２は、ＩＤカード１０の前記スキャンデータから、光学式文字認識（ＯＣＲ）によって微小抜き文字１６を文字列形式の情報として読み取る。
【００３９】
次に、処理部３２は、顔写真１３から作成した比較用情報Ｄ１（第１のセキュリティ情報）と、微小抜き文字１６（第２のセキュリティ情報）とを比較する（ステップＳ１０４）。処理部３２は、比較用情報Ｄ１と微小抜き文字１６とが一致する場合、表示部３３に、ＩＤカード１０が正規品であると表示させる（ステップＳ１０５）。
【００４０】
図１に示すように、文字列「ａｂｃ．．．」である比較用情報Ｄ１は、文字列「ａｂｃ．．．」である微小抜き文字１６と一致する。このため、表示部３３は、判定に係るＩＤカード１０が正規品であると表示する（真の判定）。
【００４１】
一方、判定装置３０は、図７に示すような、偽変造ＩＤカード１００の真偽判定をすることがある。偽変造ＩＤカード１００は、ＩＤカード１０の顔写真１３を、偽変造写真１０１に張り替えた偽変造品である。すなわち、偽変造ＩＤカード１００の文字情報１４及び微小抜き文字１６は、正規品であるＩＤカード１０の文字情報１４及び微小抜き文字１６と同じである。
【００４２】
判定装置３０の入力部３１は、偽変造ＩＤカード１００のスキャンデータを取得する（ステップＳ１００）。すなわち、入力部３１は、偽変造ＩＤカード１００から偽変造写真１０１を読み取る。
【００４３】
処理部３２は、入力部３１が取得した偽変造写真１０１から、前記特徴量を抽出する（ステップＳ１０１）。偽変造写真１０１は顔写真１３と異なる。このため、偽変造写真１０１から抽出された前記特徴量は、顔写真１３から抽出された前記特徴量と異なる。
【００４４】
図７に示すように、処理部３２は、偽変造写真１０１の前記特徴量から、比較用情報Ｄ２を作成する（ステップＳ１０２）。すなわち、偽変造写真１０１から抽出された前記特徴量から、前記暗号化処理が施された比較用情報（暗号情報）Ｄ２が作成される。
【００４５】
偽変造写真１０１の比較用情報Ｄ２は、例えば「ｘｙｚ．．．」のような文字列形式の情報である。顔写真１３の前記特徴量と偽変造写真１０１の前記特徴量とが異なるため、顔写真１３から作成された比較用情報Ｄ１は、偽変造写真１０１から作成された比較用情報Ｄ２と異なる。
【００４６】
次に、処理部３２は、偽変造ＩＤカード１００の前記画像データから、微小抜き文字１６を抽出する（ステップＳ１０３）。偽変造ＩＤカード１００の微小抜き文字１６は、ＩＤカード１０の微小抜き文字１６と同じである。このため、偽変造ＩＤカード１００の微小抜き文字１６は、例えば「ａｂｃ．．．」のような文字列形式の情報である。
【００４７】
次に、処理部３２は、偽変造写真１０１から作成した比較用情報Ｄ２と、微小抜き文字１６とを比較する（ステップＳ１０４）。文字列「ｘｙｚ．．．」である比較用情報Ｄ２と、文字列「ａｂｃ．．．」である微小抜き文字１６とは、不一致である。この場合、処理部３２は、表示部３３に、ＩＤカード１０が偽造品である可能性があると警告を表示させる（偽の判定）（ステップＳ１０６）。
【００４８】
以上のように、判定装置３０は、比較用情報Ｄ１，Ｄ２と微小抜き文字１６との比較結果に基づいて、ＩＤカード１０や偽変造ＩＤカード１００の真偽を判定する。この真偽判定の結果は、表示部３３の表示に限らず、例えばスピーカが発する音のような種々の方法で示されても良い。
【００４９】
なお、処理部３２は、比較用情報Ｄ１と微小抜き文字１６とが一致する割合が閾値以上ならば、ＩＤカード１０が正規品と判定しても良い。すなわち、比較用情報Ｄ１と微小抜き文字１６とが、完全に一致しなくても、判定装置３０はＩＤカード１０が正規品と判定して良い。
【００５０】
また、例えば、偽変造者のスキャン精度又は印刷精度が低い場合、微小抜き文字１６が破損又は消失することがある。このため、判定装置３０は、偽変造ＩＤカード１００から微小抜き文字１６のデータが読み取れなかった場合、表示部３３にＩＤカード１０が偽造品である可能性の警告を表示させても良い。
【００５１】
第１の実施の形態において、ＩＤカード１０は、顔写真１３と、正規の当該顔写真１３から得られる微小抜き文字１６とを有する。すなわち、ＩＤカード１０は、紐付けされた二つの情報である顔写真１３と微小抜き文字１６とを有する。
【００５２】
顔写真１３から得られる比較用情報Ｄ１が微小抜き文字１６と比較されることで、ＩＤカード１０の真偽の判定がされる。このため、顔写真１３及び微小抜き文字１６の一方のみを改変する局所的な偽変造がされた場合であっても偽変造を検知することができ、ＩＤカード１０の偽変造への耐性が高まる。また、識別性がある情報である顔写真１３は、真偽判定に用いる比較用情報Ｄ１の基礎となることが感知され難い。
【００５３】
微小抜き文字１６は、文字情報１４に組み込まれる。このため、微小抜き文字１６の存在が偽変造者に感知され難くなる。また、微小抜き文字１６の消失や変質等により、偽変造を検知することができる。
【００５４】
微小抜き文字１６は、画像形式の顔写真１３から得られる一方で、画像形式と異なる文字列形式の情報である。このため、顔写真１３と微小抜き文字１６との関連性が分かり難くなり、ＩＤカード１０の偽変造への耐性が高まる。
【００５５】
微小抜き文字１６は、顔写真１３から得られた前記特徴量が、印刷装置２０及び判定装置３０がそれぞれ有する前記鍵情報を用いて暗号化されたものである。このため、偽変造者が、顔写真１３と微小抜き文字１６との間に関連性があることを感知したとしても、例えば偽変造写真１０１に合致する偽の微小抜き文字１６を作ることが困難になる。
【００５６】
以下に、第２の実施の形態について、図８及び図９を参照して説明する。なお、以下の実施形態の説明において、既に説明された構成要素と同様の機能を持つ構成要素は、当該既述の構成要素と同じ符号が付され、さらに説明が省略される場合がある。また、同じ符号が付された複数の構成要素は、全ての機能及び性質が共通するとは限らず、各実施形態に応じた異なる機能及び性質を有していても良い。
【００５７】
図８は、第２の実施の形態に係るＩＤカード１０を示す平面図である。図８に示すように、第２の実施形態のＩＤカード１０は、ＩＣインレット４１を有する。ＩＣインレット４１は、記憶部の一例である。
【００５８】
ＩＣインレット４１は、例えば、情報を電気的に記憶するＩＣチップと、読取装置との間で情報の送受信を行うアンテナと、を有する。ＩＣインレット４１は、例えば、基材１１に設けられた開口部に嵌め込まれる。
【００５９】
ＩＣインレット４１は、顔写真１３の前記顔画像データを記録する。ＩＤカード１０を製造する印刷装置２０は、ＩＣインレット４１に情報を電気的に書き込む装置を有する。ＩＤカード１０の製造時において、印刷装置２０は、前記顔画像データをＩＤカード１０の印刷面１２に印刷するとともに、同じ顔画像データを電気的な書き込み方法によってＩＣインレット４１に記録する。
【００６０】
図９は、第２の実施形態のＩＤカード１０の真偽を判定する方法の一例を示すフローチャートである。以下、図８及び図９を参照し、第２の実施形態のＩＤカード１０の真偽判定方法の一例について説明する。なお、ＩＤカード１０の真偽判定方法は、以下に説明されるものに限らない。
【００６１】
図９に示すように、入力部３１は、ＩＤカード１０を撮影又はスキャンすることによって、ＩＤカード１０のスキャンデータを取得する（ステップＳ２００）。入力部３１は、ＩＤカード１０の当該スキャンデータを処理部３２に入力する。
【００６２】
判定装置３０は、ＩＣインレット４１に記録された情報を読み取る装置を有する。当該装置は、例えば、ＩＤカード１０が入力部３１によってスキャンされる位置に配置されたとき、ＩＤカード１０のＩＣインレット４１から情報を取得する。
【００６３】
入力部３１がＩＤカード１０をスキャンすると、前記装置がＩＣインレット４１から、前記顔画像データを読み込む（ステップＳ２０１）。前記装置は、ＩＣインレット４１から得た顔写真１３の顔画像データを、処理部３２に入力する。
【００６４】
次に、処理部３２は、ＩＤカード１０の前記スキャンデータの顔写真１３と、ＩＣインレット４１の前記顔画像データの顔写真１３とを比較する（ステップＳ２０２）。言い換えると、処理部３２は、印刷面１２に印刷された顔写真１３と、ＩＣインレット４１に記録された顔写真１３とを比較する。
【００６５】
前記スキャンデータの顔写真１３と、ＩＣインレット４１の顔写真１３とが一致する割合が閾値より低い場合、処理部３２は、表示部３３に、ＩＤカード１０が偽造品である可能性があると警告を表示させる（ステップＳ２０３）。例えば、顔写真１３が偽変造写真１０１に張り替えられた場合、この偽変造写真１０１と、ＩＣインレット４１の顔写真１３とは、不一致となる。この場合、判定装置３０は、ＩＤカード１０が偽造品である可能性を警告する。
【００６６】
前記スキャンデータの顔写真１３と、ＩＣインレット４１の顔写真１３とが一致する割合が閾値以上である場合、処理部３２は、ＩＣインレット４１の顔写真１３のデータから、前記特徴量を抽出する（ステップＳ２０４）。すなわち、第２の実施形態において、前記特徴量は、印刷面１２に印刷された顔写真１３からではなく、ＩＣインレット４１の顔画像データの顔写真１３から抽出される。
【００６７】
次に、処理部３２は、抽出した前記特徴量から、比較用情報Ｄ１（第１のセキュリティ情報）を作成する（ステップＳ２０５）。図８に示すように、ＩＣインレット４１の顔写真１３から抽出された前記特徴量から、前記暗号化処理が施された比較用情報（暗号情報）Ｄ１が作成される。
【００６８】
次に、処理部３２は、ＩＤカード１０の前記スキャンデータから、微小抜き文字１６（第２のセキュリティ情報）を抽出し（ステップＳ２０６）、比較用情報Ｄ１と比較する（ステップＳ２０７）。
【００６９】
処理部３２は、比較用情報Ｄ１と微小抜き文字１６とが一致する場合、表示部３３に、ＩＤカード１０が正規品であると表示させる（ステップＳ２０７）。一方、処理部３２は、比較用情報Ｄ１と微小抜き文字１６とが不一致である場合、表示部３３に、ＩＤカード１０が偽造品である可能性の警告を表示させる（ステップＳ２０３）。以上のように、判定装置３０は、ＩＣインレット４１の顔写真１３から得られる比較用情報Ｄ１と微小抜き文字１６との比較結果に基づいて、ＩＤカード１０の真偽を判定する。
【００７０】
第２の実施形態によれば、ＩＣインレット４１が顔写真１３の顔画像データを記録する。印刷面１２に印刷された顔写真１３と、ＩＣインレット４１の顔写真１３と、を比較することでも、ＩＤカード１０の真偽判定をすることができる。さらに、ＩＣインレット４１に記録された顔写真１３は印刷された顔写真１３よりも経年劣化し難いため、印刷された顔写真１３が劣化したとしても、ＩＣインレット４１の顔写真１３の顔画像データに基づいて正確にＩＤカード１０の真偽判定をすることができる。
【００７１】
以上説明した少なくとも一つの実施形態によれば、情報記録媒体は、第１の情報と、当該第１の情報から得られる第２の情報とを有する。第１の情報から得られる情報を第２の情報と比較することで、情報記録媒体の真偽の判定をすることができる。このため、第１又は第２の情報の一方のみを改変する偽変造がされた場合、容易に検知することができ、情報記録媒体の偽変造への耐性を高めることができる。
【００７２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００７３】
例えば、上記実施形態において、微小抜き文字１６が第２の情報の一例であったが、第２の情報はこれに限らない。第２の情報は、例えば、蛍光材料によって形成された情報であったり、視認容易なバーコードであったりしても良い。
【符号の説明】
【００７４】
１０…ＩＤカード、１１…基材、１２…印刷面、１３…顔写真、１４…文字情報、１６…微小抜き文字、４１…ＩＣインレット、１００…偽変造ＩＤカード、１０１…偽変造写真、Ｄ１，Ｄ２…比較用情報。
【図１】
2015047759.tif 000003
【図２】
2015047759.tif 000004
【図３】
2015047759.tif 000005
【図４】
2015047759.tif 000006
【図５】
2015047759.tif 000007
【図６】
2015047759.tif 000008
【図７】
2015047759.tif 000009
【図８】
2015047759.tif 000010
【図９】
2015047759.tif 000011